(57)【特許請求の範囲】
【請求項１】
画像を分割した複数の領域の明るさをローカルディミングにより個別に調整する調整手段を備え、多色画像及びグレースケール画像を表示することができる表示装置において、
表示すべき画像が多色画像であるか又はグレースケール画像であるかを判定する手段を備え、
前記調整手段は、
表示すべき画像が多色画像である場合に、ローカルディミングによる画像の明るさの調整を行い、表示すべき画像がグレースケール画像である場合に、ローカルディミングによる画像の明るさの調整を行わないようにしてあること
を特徴とする表示装置。
【請求項２】
画像を分割した複数の領域の明るさをローカルディミングにより個別に調整する調整手段を備え、多色画像及びグレースケール画像を表示することができる表示装置において、
表示すべき画像が多色画像であるか又はグレースケール画像であるかを判定する手段と、
表示すべき画像が多色画像及びグレースケール画像の混在画像であるか否かを判定する手段と、
表示すべき画像が混在画像である場合に、前記複数の領域の内でグレースケール画像が含まれる領域を特定する第１特定手段とを備え、
前記調整手段は、
表示すべき画像が多色画像である場合に、ローカルディミングによる画像の明るさの調整を行い、表示すべき画像がグレースケール画像である場合に、ローカルディミングによる画像の明るさの調整を行わないようにしてあり、
前記第１特定手段が特定した領域に対してローカルディミングによる明るさの調整を行わないようにしてあること
を特徴とする表示装置。
【請求項３】
グレースケール画像が含まれない領域の内でグレースケール画像が含まれる領域の所定範囲内に近接する領域を特定する第２特定手段を更に備え、
前記調整手段は、
前記第２特定手段が特定した領域に対してローカルディミングによる明るさの調整を行わないようにしてあること
を更に備えることを特徴とする請求項２に記載の表示装置。
【請求項４】
所定の多色画像用のガンマ特性で多色画像のガンマ補正を行う手段と、
ＤＩＣＯＭ規格で規定されたグレースケール標準関数に合致したガンマ特性でグレースケール画像のガンマ補正を行う手段と
を更に備えることを特徴とする請求項１から３までの何れか一つに記載の表示装置。
【請求項５】
請求項１から４までの何れか一つに記載の表示装置と、
テレビジョン放送を受信する受信部とを備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、直下型のバックライトを用いて画像を表示する表示装置及びテレビジョン受信機に関する。
【背景技術】
【０００２】
液晶表示装置は、コンピュータのディスプレイ、テレビジョン受像機、及び各種の情報を表示する情報ディスプレイ等に広く利用されている。液晶表示装置は、液晶を用いた表示パネルとこの表示パネルを背面から照明するバックライトとを備えている。液晶表示装置には、バックライトとして、表示パネルの背面側に光源を配置した直下型のバックライトを用いたものがある。特に、ＬＥＤ（発光ダイオード）等の複数の光源を表示パネルの背面側に配置してあるバックライトがあり、このバックライトを備えた液晶表示装置は、画質を向上するためにローカルディミングを実行することができる。ローカルディミングは、表示する画像に合わせて、バックライトに含まれる夫々の光源の明るさを個別に制御する技術である。ローカルディミングによって、表示する画像の明るさを部分的に変更することが可能となり、画像のコントラストを向上させることができる。特許文献１には、ローカルディミングの技術の例が開示されている。
【先行技術文献】
【特許文献】
【０００３】
【特許文献１】特開２０１０−２５７６０３号公報
【発明の概要】
【発明が解決しようとする課題】
【０００４】
現在の表示装置は、多色画像と、単色のグレースケール画像とを表示する機会がある。グレースケール画像は、多色画像よりも階調性が高く認識され、高階調が必要な分野で利用される。例えば、レントゲン写真又はエコー画像等の医療用の画像にグレースケール画像が多く使用される。他にも、表示装置は、モノクロ映画等のグレースケール画像を表示する機会がある。一般的に、表示装置が表示する画像に含まれる画素の数よりも、バックライトに含まれる光源の数が少ないので、画像内のローカルディミングによって明るさを変更できる最小単位には、複数の画素が含まれる。このため、画像の一部分の明暗を強調させるためにローカルディミングを行った場合、画像中の明暗を強調させるべき部分よりも広い範囲で明るさが変更されるハロと呼ばれる現象が発生する。多色画像では、ハロが発生しても画質に対する影響は小さいものの、グレースケール画像では、ハロが発生した部分で画像の高い階調性が損なわれることがある。例えば、医療用の画像にハロが発生した場合は、ハイライト部分とシャドウ部分との間の細かい階調が表現できなくなり、正確な診療が困難になる虞がある。
【０００５】
本発明は、斯かる事情に鑑みてなされたものであって、その目的とするところは、ローカルディミングの機能を備えながらも、グレースケール画像の高階調性を保つことができる表示装置及びテレビジョン受信機を提供することにある。
【課題を解決するための手段】
【０００６】
本発明に係る表示装置は、画像を分割した複数の領域の明るさをローカルディミングにより個別に調整する調整手段を備え、多色画像及びグレースケール画像を表示することができる表示装置において、表示すべき画像が多色画像であるか又はグレースケール画像であるかを判定する手段を備え、前記調整手段は、表示すべき画像が多色画像である場合に、ローカルディミングによる画像の明るさの調整を行い、表示すべき画像がグレースケール画像である場合に、ローカルディミングによる画像の明るさの調整を行わないようにしてあることを特徴とする。
【０００７】
本発明に係る表示装置は、画像を分割した複数の領域の明るさをローカルディミングにより個別に調整する調整手段を備え、多色画像及びグレースケール画像を表示することができる表示装置において、表示すべき画像が多色画像であるか又はグレースケール画像であるかを判定する手段と、表示すべき画像が多色画像及びグレースケール画像の混在画像であるか否かを判定する手段と、表示すべき画像が混在画像である場合に、前記複数の領域の内でグレースケール画像が含まれる領域を特定する第１特定手段とを備え、前記調整手段は、表示すべき画像が多色画像である場合に、ローカルディミングによる画像の明るさの調整を行い、表示すべき画像がグレースケール画像である場合に、ローカルディミングによる画像の明るさの調整を行わないようにしてあり、前記第１特定手段が特定した領域に対してローカルディミングによる明るさの調整を行わないようにしてあることを特徴とする。
【０００８】
本発明に係る表示装置は、グレースケール画像が含まれない領域の内でグレースケール画像が含まれる領域の所定範囲内に近接する領域を特定する第２特定手段を更に備え、前記調整手段は、前記第２特定手段が特定した領域に対してローカルディミングによる明るさの調整を行わないようにしてあることを更に備えることを特徴とする。
【０００９】
本発明に係る表示装置は、所定の多色画像用のガンマ特性で多色画像のガンマ補正を行う手段と、ＤＩＣＯＭ規格で規定されたグレースケール標準関数に合致したガンマ特性でグレースケール画像のガンマ補正を行う手段とを更に備えることを特徴とする。
【００１０】
本発明に係るテレビジョン受信機は、本発明に係る表示装置と、テレビジョン放送を受信する受信部とを備え、前記受信部にて受信したテレビジョン放送に基づいて、前記表示装置に映像を表示するようにしてあることを特徴とする。
【００１１】
本発明においては、ローカルディミングが可能な表示装置は、多色画像を表示する場合はローカルディミングを実行し、グレースケール画像を表示する場合はローカルディミングを実行しない。
【００１２】
また、本発明においては、表示装置は、多色画像及びグレースケール画像が混在した混在画像を表示する場合は、混在画像中でグレースケール画像が含まれる領域ではローカルディミングを実行しない。
【００１３】
また、本発明においては、表示装置は、混在画像中でグレースケール画像が含まれる領域に近接する近接領域においても、ローカルディミングを実行しない。
【００１４】
また、表示装置は、多色画像用のガンマ特性で多色画像のガンマ補正を行う一方で、医療用の画像を表示できるように、グレースケール標準関数に合致したガンマ特性でグレースケール画像のガンマ補正を行う。
【発明の効果】
【００１５】
本発明においては、ローカルディミングによって高コントラストの多色画像が表示される一方で、グレースケール画像の表示時には、ローカルディミングに起因するハロによって画質が悪化することが無く、高階調でグレースケール画像が表示される等、本発明は優れた効果を奏する。
【図面の簡単な説明】
【００１６】
【図１】表示装置の電気的機能構成を示すブロック図である。
【図２】画像を分割した複数の領域を示す模式図である。
【図３】本発明の表示装置が実行する処理の手順を示すフローチャートである。
【図４】グレースケール画像の範囲の例を示す模式図である。
【図５】グレースケール画像が含まれる領域の例を示す模式図である。
【図６】近接領域の例を示す模式図である。
【図７】ガンマ特性の例を示す模式的特性図である。
【発明を実施するための形態】
【００１７】
以下本発明をその実施の形態を示す図面に基づき具体的に説明する。
図１は、表示装置の電気的機能構成を示すブロック図である。表示装置は、テレビジョン受信機又はディスプレイとして用いられる。表示装置は、矩形状の液晶パネル１と、直下型のバックライト２とを備えている。バックライト２は、液晶パネル１の背面側に、発光面を液晶パネル１に向けて配置されており、液晶パネル１を背面側から照明する。バックライト２は、複数のＬＥＤを液晶パネル１の背面にマトリクス状に配置してなる。表示装置は、バックライト２に含まれるＬＥＤの明るさを個別に制御することにより、液晶パネル１に表示される画像を分割した複数の領域の明るさをローカルディミングにより個別に調整することができる。なお、バックライト２は、光ファイバ等、ＬＥＤ以外の光源を用いた形態であってもよい。
【００１８】
液晶パネル１には、液晶を駆動させるためのソースドライバ１１及びゲートドライバ１２が接続されている。ソースドライバ１１及びゲートドライバ１２は、液晶の駆動のタイミングを制御するＬＣＤタイミングコントローラ１３に接続されている。バックライト２には、バックライト２中の各ＬＥＤを動作させるＬＥＤドライバ２１が接続されている。ＬＥＤドライバ２１は、ＬＥＤの動作のタイミングを制御するＬＥＤタイミングコントローラ２２に接続されている。
【００１９】
表示装置は、各種のインタフェースを介して外部から画像信号を入力される画像信号入力部３５と、テレビジョンの放送波を受信して画像信号を生成するチューナ３６とを備えている。なお、表示装置はチューナ３６を備えていない形態であってもよい。画像信号入力部３５及びチューナ３６は、画像信号処理部３４に接続されており、画像信号処理部３４へ画像信号を入力する。画像信号処理部３４は、画像信号に対して、画像サイズの変換又は文字の重ね合わせ等の信号処理を行う。画像信号処理部３４は、色信号補正部３３に接続されており、色信号補正部３３へ画像信号を入力する。色信号補正部３３は、画像信号に対して、彩度の調整又はシャープネスの調整等、画質を調整する処理を行う。色信号補正部３３は、ＬＣＤ／ＬＥＤデータ処理部３２に接続されており、ＬＣＤ／ＬＥＤデータ処理部３２へ画像信号を入力する。また、ＬＣＤ／ＬＥＤデータ処理部３２にはＬＣＤタイミングコントローラ１３及びＬＥＤタイミングコントローラ２２が接続されている。ＬＣＤ／ＬＥＤデータ処理部３２は、画像信号から、液晶パネル１を動作させるための表示データとバックライト２を動作させるための点灯データとを生成し、表示データをＬＣＤタイミングコントローラ１３へ入力し、点灯データをＬＥＤタイミングコントローラ２２へ入力する。ＬＣＤタイミングコントローラ１３は、表示データに基づいて液晶の駆動のタイミングを制御する。ＬＥＤタイミングコントローラ２２は、点灯データに基づいてＬＥＤの動作のタイミングを制御する。
【００２０】
また、表示装置は、各部を制御する制御部３１を備えている。制御部３１は、例えばＣＰＵを含んで構成されている。制御部３１には、使用者の操作を受け付ける操作部３７と、図示しないリモートコントローラからの制御信号を受信する受信部３８とが接続されている。なお、表示装置は受信部３８を備えていない形態であってもよい。
【００２１】
バックライト２に含まれるマトリクス状に配置された複数のＬＥＤは、個別に輝度の調整が可能な複数の制御エリアに分割されている。一つの制御エリアには、一つのＬＥＤのみが含まれていてもよく、複数のＬＥＤが含まれていてもよい。液晶パネル１が表示する画像は、バックライト２に含まれる複数の制御エリアに照明される複数の領域に分割される。図２は、画像を分割した複数の領域を示す模式図である。図２中には、矩形の画像に含まれる領域の境界を破線で示している。画像中の各領域は、バックライト２の制御エリアに１対１で対応している。液晶パネル１内で、画像中の各領域に対応するバックライト２の制御エリアから照明された部分が、画像中の各領域を表示する。例えば、バックライト２が１６×８の制御エリアに分割されており、液晶パネル１が１９２０×１０８０画素の画像を表示する場合は、画像中の各領域には１２０×１３５の画素が含まれる。バックライト２の制御エリアの輝度が個別に制御されることにより、画像中の各領域の明るさが個別に調整されるローカルディミングが行われる。
【００２２】
ローカルディミングの処理は、ＬＣＤ／ＬＥＤデータ処理部３２で行われる。ＬＣＤ／ＬＥＤデータ処理部３２は、バックライト２中の各制御エリアでの輝度を個別に決定する。例えば、ＬＣＤ／ＬＥＤデータ処理部３２は、画像中の各領域中の画素の中から最大の輝度を求め、求めた輝度が得られるような値に各制御エリアでの輝度を定める。ＬＣＤ／ＬＥＤデータ処理部３２は、決定した各制御エリアでの輝度の値をＬＥＤタイミングコントローラ２２へ入力することにより、バックライト２の輝度を調整する。また、ＬＣＤ／ＬＥＤデータ処理部３２は、バックライト２中の各制御エリアでの輝度を液晶パネル１と同じ解像度に変換したバックライト２の輝度分布を計算する。また、ＬＣＤ／ＬＥＤデータ処理部３２は、画像信号に対してガンマ補正を行う。更に、ＬＣＤ／ＬＥＤデータ処理部３２は、ガンマ補正後の画像信号とバックライト２の輝度分布とに基づいて、液晶パネル１に画像を表示させるべく、液晶パネル１を動作させるための表示データを生成する処理を行う。
【００２３】
図３は、本発明の表示装置が実行する処理の手順を示すフローチャートである。画像信号処理部３４は、入力された画像信号に対して、画像に含まれる各画素が多色画素であるか又はモノクロ画素であるかを判定する（Ｓ１）。ステップＳ１では、画像信号処理部３４は、各画素のＲ（赤）Ｇ（緑）Ｂ（青）信号の最大値と最小値との差を計算し、予め定められている閾値と比較することによって、判定を行う。ＲＧＢ信号の最大値をｍａｘ（Ｒ，Ｇ，Ｂ）とし、最小値をｍｉｎ（Ｒ，Ｇ，Ｂ）とし、閾値ＴＨａとすると、画像信号処理部３４は、ｍａｘ（Ｒ，Ｇ，Ｂ）−ｍｉｎ（Ｒ，Ｇ，Ｂ）≧ＴＨａである場合に、画素は多色画素であると判定する。また、画像信号処理部３４は、ｍａｘ（Ｒ，Ｇ，Ｂ）−ｍｉｎ（Ｒ，Ｇ，Ｂ）＜ＴＨａである場合に、画素はモノクロ画素であると判定する。閾値ＴＨａは、モノクロ画素ではＲＧＢ信号が同一の値であることを検出できる値に定められており、画像信号処理部３４に予め記憶されている。例えば、ＲＧＢの夫々が８ビットで表される場合に、ＴＨａ＝２０である。なお、ステップＳ１では、画像信号処理部３４は、ＲＧＢ信号の各色の差分の絶対値を計算し、閾値と比較することによって、判定を行ってもよい。また、画像信号処理部３４は、その他の公知の方法で画素の判定を行ってもよい。
【００２４】
画像信号処理部３４は、次に、画像に含まれる多色画素及びモノクロ画素の数を夫々にカウントする（Ｓ２）。画像信号処理部３４は、次に、画像信号が表す画像が多色画像及びグレースケール画像の混在画像であるか否かを判定する（Ｓ３）。ステップＳ３では、画像信号処理部３４は、多色画素数及びモノクロ画素数の全画素数に対する割合を計算し、予め定められている第１閾値と比較する。第１閾値は、全画素数の５０％よりも小さい値に定められており、画像信号処理部３４に予め記憶されている。例えば、第１閾値は２５％である。全画素数に対する多色画素数の割合、及び全画素数に対するモノクロ画素数の割合が共に第１閾値以上である場合は、画像信号処理部３４は、画像が混在画像であると判定する。何れかの割合が第１閾値未満の場合は、画像信号処理部３４は、画像は混在画像ではないと判定する。
【００２５】
画像が混在画像である場合（Ｓ３：ＹＥＳ）、画像信号処理部３４は、画像中のグレースケール画像の範囲を特定し、バックライト２の制御エリアに対応する複数の領域の内でグレースケール画像が含まれる領域を特定する（Ｓ４）。ステップＳ４では、画像信号処理部３４は、まず、画像中の多色画素数とモノクロ画素数とを比較する。画像中の多色画素数がモノクロ画素数以上である場合は、画像信号処理部３４は、次に、画像中のグレースケール画像の範囲を特定する処理を行う。画像信号処理部３４は、モノクロ画素がｘ軸方向に連続したモノクロブロックがｙ軸方向に連続している部分を画像から抽出し、抽出した部分の左端のｘ座標の分散と右端のｘ座標の分散とを計算する。計算した分散の値が所定の第２閾値以下である場合は、複数のモノクロブロックは矩形で画像中のグレースケール画像の範囲であると判定する。また、画像信号処理部３４は、複数のモノクロブロックの左端のｘ座標の平均値と各モノクロブロックの左端のｘ座標との差分を計算し、差分が所定の第３閾値以上になる座標を除いた上で最も左側にあるｘ座標をグレースケール画像の範囲の左側の境界に決定する。同様に、グレースケール画像の範囲の右側の境界を決定して、画像信号処理部３４は、グレースケール画像の範囲を特定する。このとき、複数の範囲が特定されることもある。分散の値が第２閾値より大きい場合は、画像信号処理部３４は、個々のモノクロブロックをグレースケール画像の範囲とする。画像中の多色画素数がモノクロ画素数よりも少ない場合は、画像信号処理部３４は、同様の方法で多色画像の範囲を特定し、多色画像以外の範囲をグレースケール画像の範囲とする。画像信号処理部３４は、次に、画像中のバックライト２の制御エリアに対応する複数の領域の内、グレースケール画像が含まれる領域を特定する。なお、画像信号処理部３４は、その他の方法でグレースケール画像が含まれる領域を特定してもよい。また、画像信号処理部３４は、矩形以外の形状の領域を特定する処理をおこなってもよい。
【００２６】
図４は、グレースケール画像の範囲４１の例を示す模式図である。図４には、混在画像中に矩形のグレースケール画像の範囲４１が一つだけ存在している例を示している。図５は、グレースケール画像が含まれる領域４２の例を示す模式図である。図５には、グレースケール画像の範囲４１の境界を実線で示している。通常、グレースケール画像の範囲４１の境界と各領域の境界とは一致しないので、グレースケール画像が含まれる複数の領域４２の範囲は、グレースケール画像の範囲４１よりも広い。
【００２７】
画像信号処理部３４は、次に、バックライト２の制御エリアに対応する複数の領域の内で、グレースケール画像が含まれる領域４２の所定範囲内に近接する近接領域を特定する（Ｓ５）。例えば、画像信号処理部３４は、グレースケール画像が含まれない領域の内でグレースケール画像が含まれる領域４２に隣接する領域を近接領域として特定する。図６は、近接領域４３の例を示す模式図である。グレースケール画像が含まれる複数の領域４２の周囲に、複数の近接領域４３が存在している。なお、画像信号処理部３４は、グレースケール画像が含まれる領域４２の所定範囲に近接する近接領域４３として、領域４２に隣接する領域よりも広い範囲の領域を特定してもよい。
【００２８】
画像信号処理部３４は、次に、特定したグレースケール画像が含まれる領域４２及び近接領域４３を示すデータを制御部３１へ入力する。制御部３１は、ＬＣＤ／ＬＥＤデータ処理部３２に、グレースケール画像が含まれる領域４２及び近接領域４３でのローカルディミングを禁止させる処理を行う（Ｓ６）。ステップＳ６では、制御部３１は、グレースケール画像が含まれる領域４２及び近接領域４３を示すデータをＬＣＤ／ＬＥＤデータ処理部３２へ入力する。ＬＣＤ／ＬＥＤデータ処理部３２は、グレースケール画像が含まれる領域４２及び近接領域４３に対応するバックライト２中の複数の制御エリアでの輝度を、予め定められた一定の輝度に調整する。このため、液晶パネル１内で、画像中のグレースケール画像が含まれる領域４２及び近接領域４３を表示する部分は、均一の輝度でバックライト２から照明されることになる。一方で、ＬＣＤ／ＬＥＤデータ処理部３２は、画像内の複数の領域の内、グレースケール画像が含まれる領域４２及び近接領域４３以外の領域については、ローカルディミングの処理を実行する。
【００２９】
ＬＣＤ／ＬＥＤデータ処理部３２は、次に、入力された画像信号に対して、画素別にガンマ補正を行う（Ｓ７）。より詳しくは、多色画素については多色画像用に予め定められているガンマ特性でガンマ補正が行われ、モノクロ画素についてはグレースケール画像用に予め定められているガンマ特性でガンマ補正が行われる。多色画像用のガンマ特性は、例えば、γ＝２．２のガンマ特性である。グレースケール画像用のガンマ特性は、ＤＩＣＯＭ（Digital Imaging and Communication in Medicine ）規格で規定されたＧＳＤＦ（グレースケール標準関数：Grayscale Standard Display Function ）に合致するガンマ特性である。ＤＩＣＯＭ規格は、レントゲン写真等の医療用画像のためのフォーマット及び通信プロトコルを定めた規格である。ＧＳＤＦは、医療用画像に含まれる明暗を高精度に表現できるように定められている。
【００３０】
図７は、ガンマ特性の例を示す模式的特性図である。図７の横軸は画像信号の入力を示し、縦軸は表示される画素の輝度を示す。図７には、γ＝２．２のガンマ特性を実線で示し、ＧＳＤＦに合致するガンマ特性を破線で示している。ＧＳＤＦに合致するガンマ特性では、γ＝２．２のガンマ特性に比べて、画像の輝度が低いほど輝度の変化がより細かくなり、輝度が高いほど輝度の変化がより大きくなるように定められている。このため、グレースケール画像では、多色画像に比べて、暗い部分の明暗がより高精度に表現され、明るい部分の明暗がより強調されるようになる。
【００３１】
ＬＣＤ／ＬＥＤデータ処理部３２は、次に、ガンマ補正後の画像信号に対して、画像を表示させるための必要な処理を実行し、混在画像が表示される。表示装置は、以上で処理を終了する。
【００３２】
ステップＳ３で画像が混在画像ではない場合（Ｓ３：ＮＯ）、画像信号処理部３４は、画像信号が表す画像がグレースケール画像であるか否かを判定する（Ｓ８）。ステップＳ８では、画像信号処理部３４は、全画素数に対するモノクロ画素数の割合が第１閾値以上であり、全画素数に対する多色画素数の割合が第１閾値未満である場合に、画像がグレースケール画像であると判定する。また、画像信号処理部３４は、全画素数に対する多色画素数の割合が第１閾値以上であり、全画素数に対するモノクロ画素数の割合が第１閾値未満である場合に、画像が多色画像であると判定する。
【００３３】
画像がグレースケール画像である場合に（Ｓ８：ＹＥＳ）、画像信号処理部３４は、画像がグレースケール画像であることを示すデータを制御部３１へ入力し、制御部３１は、ＬＣＤ／ＬＥＤデータ処理部３２にローカルディミングを禁止させる処理を行う（Ｓ９）。ステップＳ９では、ＬＣＤ／ＬＥＤデータ処理部３２は、ローカルディミングの処理を行わず、バックライト２中の全ての制御エリアでの輝度を予め定められた一定の輝度に調整する。このため、液晶パネル１は、均一の輝度でバックライト２から照明されることになる。ＬＣＤ／ＬＥＤデータ処理部３２は、次に、入力された画像信号に対して、ＧＳＤＦに合致するガンマ特性でガンマ補正を行う（Ｓ１０）。ＬＣＤ／ＬＥＤデータ処理部３２は、次に、ガンマ補正後の画像信号に対して、画像を表示させるための必要な処理を実行し、グレースケール画像が表示される。表示装置は、以上で処理を終了する。
【００３４】
ステップＳ８で画像が多色画像である場合（Ｓ８：ＮＯ）、画像信号処理部３４は、画像が多色画像であることを示すデータを制御部３１へ入力し、制御部３１は、ＬＣＤ／ＬＥＤデータ処理部３２にローカルディミングを実行させる処理を行う（Ｓ１１）。ステップＳ１１では、ＬＣＤ／ＬＥＤデータ処理部３２は、ローカルディミングを実行するために、画像信号に応じて、バックライト２中の各制御エリアでの輝度を個別に決定する処理を行う。ＬＣＤ／ＬＥＤデータ処理部３２は、次に、入力された画像信号に対して、多色画像用のガンマ特性でガンマ補正を行う（Ｓ１２）。ＬＣＤ／ＬＥＤデータ処理部３２は、次に、ガンマ補正後の画像信号に対して、画像を表示させるための必要な処理を実行し、多色画像が表示される。表示装置は、以上で処理を終了する。
【００３５】
なお、表示装置は、ステップＳ６、Ｓ９及びＳ１１で、ローカルディミングの禁止又は実行を選択させるための選択画面を表示し、使用者が操作部３７又はリモートコントローラを操作することにより、ローカルディミングの禁止又は実行を決定する処理を行ってもよい。このような処理を行う表示装置では、ローカルディミングの禁止又は実行を使用者が選択することによって、使用者が画質を決定することができる。
【００３６】
以上詳述した如く、本実施の形態においては、表示装置は、多色画像を表示する場合はローカルディミングを実行し、グレースケール画像を表示する場合はローカルディミングを実行しない。グレースケール画像はローカルディミングを行わずに表示されるので、ローカルディミングに起因するハロによって画質が悪化することが無く、高階調でグレースケール画像が表示される。特に、医療用の画像が高階調で表示され、画像に基づいた正確な診断が可能となる。一方で、多色画像が表示される場合は、ローカルディミングが行われるので、高コントラストの多色画像が表示される。また、ローカルディミングによる省電力が可能となる。
【００３７】
また、表示装置は、多色画像及びグレースケール画像が混在した混在画像を表示する場合は、混在画像中でグレースケール画像が含まれる領域ではローカルディミングを実行しない。混在画像中のグレースケール画像はローカルディミングを行わずに表示されるので、多色画像及びグレースケール画像が混在していても、高階調でグレースケール画像が表示される。
【００３８】
また、表示装置は、混在画像中でグレースケール画像が含まれる領域に近接する近接領域においても、ローカルディミングを実行しない。バックライト２の各制御エリアからの光は、制御エリアに対応する領域に照明されるだけではなく、周りの領域にも漏れ出ている。このため、グレースケール画像が含まれる領域でローカルディミングが実行されずとも、近接領域でローカルディミングが実行されていれば、近接領域から漏れ出る光によってグレースケール画像にハロが発生する虞がある。近接領域においてもローカルディミングを実行しないことによって、グレースケール画像にハロが発生することがより困難になり、高階調でグレースケール画像が表示される。
【００３９】
また、表示装置は、ＧＳＤＦに合致したガンマ特性でグレースケール画像のガンマ補正を行い、多色画像用のガンマ特性で多色画像のガンマ補正を行う。表示装置は、高コントラストの多色画像に合った階調で多色画像を表示することができる一方で、レントゲン写真等の医療用のグレースケール画像を高精度で表示することができる。このため、表示装置は、正確な医療診断に利用することが可能となる。
【００４０】
なお、本実施の形態においては、制御部３１、ＬＣＤ／ＬＥＤデータ処理部３２、色信号補正部３３及び画像信号処理部３４の夫々が個別に独立したハードウェアである形態を示したが、表示装置は、これらの処理回路が実行すべき処理を他の方法で実行する形態であってもよい。例えば、表示装置は、ＤＳＰ（Digital Signal Processor）を備え、制御部３１、ＬＣＤ／ＬＥＤデータ処理部３２、色信号補正部３３及び画像信号処理部３４が実行すべき処理をＤＳＰでのソフトウェア処理により実行する形態であってもよい。また、表示装置は、制御部３１、ＬＣＤ／ＬＥＤデータ処理部３２、色信号補正部３３及び画像信号処理部３４の機能を一つにまとめたハードウェアを備えた形態であってもよい。
【００４１】
また、表示装置は、グレースケール画像として医療用の画像を表示する形態に限るものではなく、任意の物体のＸ線透過写真、モノクロ映画又はモノクロ写真等、医療用の画像以外のグレースケール画像を表示する形態であってもよい。
【符号の説明】
【００４２】
１  液晶パネル
１３  ＬＣＤタイミングコントローラ
２  バックライト
２２  ＬＥＤタイミングコントローラ
３１  制御部
３２  ＬＣＤ／ＬＥＤデータ処理部
３４  画像信号処理部
３６  チューナ
４３  近接領域
【図１】
0005843662.tif 000002
【図２】
0005843662.tif 000003
【図３】
0005843662.tif 000004
【図４】
0005843662.tif 000005
【図５】
0005843662.tif 000006
【図６】
0005843662.tif 000007
【図７】
0005843662.tif 000008